(57)【要約】ディスペンス装置は、プレホイップクリームやアイシングの予めパッケージされた装填物を収容可能なハウジングを備える。ハウジングは内壁を備え、ロッドを収容するために内側に形成された細長穴を有する。ロッドは歯止め機構に係合し、ピストンを軸方向に移動して、プレホイップクリームやアイシングをパッケージの出口部を通じて押出す。ロッドが第１方向へ移動するとき、歯止めはロッドに係合し、ロッドが第１方向と反対の第２方向へ移動するとき、歯止めはロッドに非係合となる。【選択図】図１
2010520048.tif 000002
【特許請求の範囲】
【請求項１】
内側で規定される空洞と出口部とを有するハウジングと、
前記ハウジング内に配置されたピストンと、
前記ピストンに連結され、内側で規定される開口部を有するスプリング付勢歯止め機構と、
第１方向と前記第１方向とは反対の第２方向とに並進運動可能な延設部材と、を備え、
前記延設部材は、前記延設部材を前記第１方向に移動すると、前記歯止め機構が前記ピストンを前記第１方向に移動するように、前記開口部の端部で前記歯止め機構に摩擦係合可能であって、
前記延設部材を前記第２方向に移動すると、前記延設部材が前記歯止め機構の前記開口部を通じて、前記ピストンと独立して前記第２方向に移動するように回転可能であり、
前記延設部材に関連して操作するトリガーと、を備え、
前記トリガーを作動すると前記延設部材が前記第１方向に移動し、前記トリガーを開放すると前記延設部材が前記第２方向に移動する、
ことを特徴とするディスペンサー。
【請求項２】
前記ピストンは、前記延設部材を収容するために内側で規定された開口部を有する延設部を備える、ことを特徴とする請求項１に記載のディスペンサー。
【請求項３】
前記トリガーは、回転リンクによって前記延設部材と機械的に連結されている、ことを特徴とする請求項１に記載のディスペンサー。
【請求項４】
前記出口部で前記ハウジングに着脱自在に取り付けられたカバーを備える、ことを特徴とする請求項１に記載のディスペンサー。
【請求項５】
前記カバーは、内側で規定された開口部を備える、ことを特徴とする請求項１に記載のディスペンサー。
【請求項６】
前記ハウジングは、前記カバーの前記開口部に係合可能な突出部を備え、前記カバーを所定位置に保持する、ことを特徴とする請求項５に記載のディスペンサー。
【請求項７】
前記ハウジングは、その上に配置されたフックを備える、ことを特徴とする請求項１に記載のディスペンサー。
【請求項８】
ペースト状製品を充填した柔軟な円筒形状のバッグを備え、前記バッグは、前記ディスペンサーの前記空洞の内側にフィットする大きさで、第１端部に出口部を有する、ことを特徴とする請求項１に記載のディスペンサー。
【請求項９】
前記ハウジングは第１部分と第２部分とを備え、前記第２部分は前記延設部材を収容するための小さな断面領域を備える、ことを特徴とする請求項１に記載のディスペンサー。
【発明の詳細な説明】
【背景技術】
【０００１】
本発明は、押出し可能なペースト状材料や押出し可能な泡状材料等のような粘性材を分配するために用いられるものである。本発明は、特に食品産業の分野において利用される。食品分野では、アイシング（糖衣）やプレホイップクリームが一般的に利用されて、材料を収容したコーン形状の柔軟なパッケージを使って手作業で分配される。一例として、プレホイップクリームを一般的に円錐形状をなしたシールバッグに供給し、製品を出口部が形成された狭端部から分配する。出口部は一般的にはさみでカットすることで開口する。バッグを開口するためには他の方法も適用できる。柔軟パッケージを出口部で開口して、製品を開口部から押出すようにパッケージの側部を搾ることで製品を分配する。この方法でプレホイップクリームやアイシングを手作業で分配すると、作業者に筋肉疲労が生じ、生産性にマイナスの影響を与える。
【０００２】
操作がより簡単で、片手で操作でき、限られた空間に収納でき、トッピングに対して安全な温度を保持するための冷却特性をもたらすディスペンス装置が必要とされる。分配される製品の物性を保持するために、ディスペンサーは、分配しないときにプレホイップクリームやアイシングに力を加えてはならない。
【発明の概要】
【０００３】
本発明は、上記した必要性に鑑みて、プレホイップクリームやアイシングの予めパッケージされた装填物を収容可能なハウジングを備えたディスペンス装置を提供する。ハウジングは、ロッドを収容するために内側に形成された細長穴を有する内壁を備える。ロッドは歯止め機構に係合し、ピストンを軸方向に移動して、プレホイップクリームやアイシングをパッケージの出口部を通じて押出す。ロッドが第１方向へ移動すると、歯止めはロッドに係合し、ロッドが第１方向と反対の第２方向へ移動すると、歯止めはロッドに非係合となる。
【図面の簡単な説明】
【０００４】
本発明を各図で示し、各図において、同一参照符号で同一又は類似部分を示す。
【図１】本発明に係るディスペンス装置を示す斜視図。
【図２】本発明に係るディスペンス装置を示す組み立て分解図。
【図３】ディスペンス装置を示す端部正面図。
【図４】ディスペンス装置を示す端部正面図。
【図５】図３に示す５−５線の断面図。
【図６】図４に示す６−６線の断面図。
【図７】本発明の歯止め機構の操作を示す概要図。
【発明を実施するための形態】
【０００５】
先ず図１の通り、本発明に係るディスペンス装置１０は、ボディ１３を備え、円筒状側面で第１直径１９を有する第１部分１６を備える。ボディ１３は、小さな直径を有する第２部分２２を備える。第１部分１６は、大きな直径を有するベース部分２５に延設される。ディスペンス装置１０の実施形態は円筒形状として記載されているが、本開示に基づく当業者にとって明らかなように他の形状も適用可能である。ボディ１３は、不使用のときに装置１０を掛けるためのフック２８を備える。
【０００６】
装置１０は、ボディ１３の前部に着脱自在なカバー３１を備える。図のように、カバー３１は開口部３２を備え、ボディ１３の外側から延設する突出部３４に摩擦係合する。タブ３５はカバー３１を取り外すために設けられている。カバー３１は先端カバー４０を有する中央部に出口開口部３７を備え、装置１０を使用しないとき、出口開口部３７をカバーする。
【０００７】
ハンドル４３は、回転軸４９で取り付けられたトリガー４６を備える。トリガー４６は、開口位置でスプリング５２（図２）によって付勢される。トリガー４６は、後で詳述するように、ピストンを駆動する往復ロッドを操作する。
【０００８】
次に図２の通り、装置１０は、はめ込み分配端部５８を有する円筒形の柔軟なパッケージ５５を収容する。はめ込み分配端部５８の構成は、当業者にとって明らかであるので、ここでは詳述しない。ピストン６１は、プレホイップクレームのような粘性材をパッケージ５５から押出す。ピストン６１は、往復ロッド６４に機械的に連結されている。ロッド６４は、スプリングで付勢されたトリガー４６によって矢印６７に示す軸方向に往復移動する。
【０００９】
ロッド６４は、歯止め機構によってピストン６１に連結される。ピストン６１は、ロッド６４が通じる開口部７０を有する延設部６７を備える。歯止め７３は、スプリング７６によってピストン６１に対する所定の角度に付勢される（図７が最も良く示す）。ロッド６４が、図２及び７における方向の右から左へ移動すると、ロッド６４と歯止め７３の開口部７９との間の摩擦係合が、ロッド６４と一致してピストン６１を前進する。トリガー４６を握るとロッド６４が移動し、ピストン６１は図の右から左へ移動する。このピストン６１の移動によって柔軟パッケージ５５を圧縮し、製品を出口開口部３７から押出す。トリガー４６を開放し、ロッド６４が反対方向（図の左から右）へ移動すると、ピストン６１は、左から右へ少し移動して、ロッド６４から離れる。ロッド６４が左から右へ移動すると、歯止め７３は回転してピストン６１から離れ、ロッド６４は、歯止め７３の開口部７９を通じてスプリングで付勢された初期位置へスライドする。再びトリガー４６を握るまで、ピストン６１は略同じ位置にとどまる。
【００１０】
柔軟パッケージ５５が空になって、別の材料パッケージを込めるためにピストン６１を左から右へ移動する必要があるとき、リセットロッド８０を使用する（図７が最も良く示す）。リセットロッド８０は、ピストン６１を通り、歯止め７３に係合して、それを回転してピストン６１から離し、ピストン６１がロッド６４を簡単に越えて元の位置に戻るようにスライドさせる。
【００１１】
次に図３及び４の通り、装置１０の端図はハンドル４３及びトリガー４６を示す。分配端部５８を図の中心に示し、カバー３１を開口するためのタブ３５も示す。
【００１２】
図５に示すディスペンス装置１０は、ピストン６１が移動終端へ前進しており、パッケージ５５のはめ込み端部５８が装置１０の出口部に設置されている。トリガー４６は開放されており、歯止め７３は、ピストン６１が移動することなくロッド６４が左から右へスライド可能な位置となっている。分配が完了した後、カバー３１が取り外され、歯止め７３が回転してピストン６１から離れ、新たなパッケージ５５を込めるために、ピストン６１が装置１０の反対終端に戻るように押される。
【００１３】
図６に示すディスペンス装置１０は、分配の際にトリガー４６を押した半完全状態(half full condition)となっている。
【００１４】
次に図７の通り、概略図は、スプリング７６によって所定角度で付勢された歯止め７３と共にピストン６１を示す。ロッド６４が矢印８８の方向における右から左へ移動すると、歯止め７３におけるロッド６４の摩擦係合でピストン６１が移動する。ロッド６４が左から右へ移動すると、摩擦で歯止め７３が回転してピストン６１から離れ、開口部７９の周囲の歯止め７３の端部に係合して発生する摩擦をロッド６４が打ち破る位置まで回転する。この位置で、ロッド６４は歯止め７３の開口部７９を通じて自在にスライドし、ロッド６４はピストン６１から離れる。
【００１５】
ピストン６１を左から右へ移動して、ディスペンス装置１０を再装填するために、リセットロッド８０を使って歯止め７３を押して垂直位置に回転する。これにより、ピストン６１は、図の方向性を示す矢印９０の方向の左から右へロッド６４に沿ってスライドできる。
【００１６】
本発明について所定の実施形態を説明したが、発明の範囲を上記した特定の形態に限定するものではない。一方、請求の範囲に記載の発明の精神および範囲を含む代替品、改良品および相当物に及ぶ。
【図１】
2010520048.tif 000003
【図２】
2010520048.tif 000004
【図３】
2010520048.tif 000005
【図４】
2010520048.tif 000006
【図５】
2010520048.tif 000007
【図６】
2010520048.tif 000008
【図７】
2010520048.tif 000009
【手続補正書】
【提出日】平成21年10月29日(2009.10.29)
【手続補正１】
【補正対象書類名】明細書
【補正対象項目名】０００９
【補正方法】変更
【補正の内容】
【０００９】
ロッド６４は、歯止め機構によってピストン６１に連結される。ピストン６１は、ロッド６４が通じる開口部７０を有する延設部６８を備える。歯止め７３は、スプリング７６によってピストン６１に対する所定の角度に付勢される（図７が最も良く示す）。ロッド６４が、図２及び７における方向の右から左へ移動すると、ロッド６４と歯止め７３の開口部７９との間の摩擦係合が、ロッド６４と一致してピストン６１を前進する。トリガー４６を握るとロッド６４が移動し、ピストン６１は図の右から左へ移動する。このピストン６１の移動によって柔軟パッケージ５５を圧縮し、製品を出口開口部３７から押出す。トリガー４６を開放し、ロッド６４が反対方向（図の左から右）へ移動すると、ピストン６１は、左から右へ少し移動して、ロッド６４から離れる。ロッド６４が左から右へ移動すると、歯止め７３は回転してピストン６１から離れ、ロッド６４は、歯止め７３の開口部７９を通じてスプリングで付勢された初期位置へスライドする。再びトリガー４６を握るまで、ピストン６１は略同じ位置にとどまる。
【手続補正２】
【補正対象書類名】図面
【補正対象項目名】全図
【補正方法】変更
【補正の内容】
【図１】
2010520048.tif 000010
【図２】
2010520048.tif 000011
【図３】
2010520048.tif 000012
【図４】
2010520048.tif 000013
【図５】
2010520048.tif 000014
【図６】
2010520048.tif 000015
【図７】
2010520048.tif 000016
【国際調査報告】
2010520048.tif 000017